(57)【要約】【課題】壁の近傍に位置した塵埃を確実に吸い込むことができる電気掃除機を提供する。【解決手段】吸込口２５に連通してケース体の前面側に前面側開口４１を設ける。ケース体の前面側開口４１の上方にバンパ２４を設ける。前面側開口４１の一部を閉塞する突部６１をバンパ２４に下方に向けて突出して設ける。バンパ２４と床面Ｆの距離および前面側開口４１の開口面積を低減させてケース体の前側の吸込風の風速を向上する。ケース体の前側を壁の近傍に近づけた際に、壁の近傍に位置した塵埃を前面側開口４１から確実に吸い込むことができる。【選択図】        図１
2004254970.tif 000002
【特許請求の範囲】
【請求項１】
ケース体と、
被掃除面に対向して前記ケース体に開口した吸込口と、
この吸込口に連通して前記ケース体の前面側に開口した前面側開口と、
この前面側開口の少なくとも一部を閉塞し下方に向けて突設された突部を備え、前記ケース体の前記前面側開口の上方に取り付けられたバンパと
を具備したことを特徴とした吸込口体。
【請求項２】
ケース体と、
被掃除面に対向して前記ケース体に開口した吸込口と、
この吸込口に連通して前記ケース体の前面側に開口した前面側開口と、
前記ケース体の前面側に取り付けられたバンパと、
このバンパの前面と略面一に設けられ、前記前面側開口の少なくとも一部を閉塞する突部と
を具備したことを特徴とした吸込口体。
【請求項３】
突部は、前記前面側開口の幅方向全体を閉塞する
したことを特徴とした請求項１または２記載の吸込口体。
【請求項４】
ブラシ台開口および接触体を備え、前面側開口に対向してケース体に回動可能に設けられたブラシ台を具備し、
前記ブラシ台は、前記接触体の被掃除面への接触により、前記ケース体の前進時に、このケース体の前進方向に対応して順方向に回動されて被掃除面との間に間隙を形成し、前記ケース体の前方の外部空間と前記吸込口とを前記前面側開口および前記間隙を介して連通させ、前記ケース体の後退時に、このケース体の後退方向に対応して順方向に回動されて被掃除面に密着し、前記ケース体の前方の外部空間と前記吸込口との連通を遮断する
ことを特徴とした請求項１ないし３いずれか一記載の吸込口体。
【請求項５】
電動送風機を収容した掃除機本体と、
前記電動送風機の吸込側に連通される請求項１ないし４いずれか一記載の吸込口体と
を具備したしたことを特徴とした電気掃除機。
【発明の詳細な説明】
【０００１】
【発明の属する技術分野】
本発明は、被掃除面に対向してケース体に開口した吸込口を備えた吸込口体およびこれを備えた電気掃除機に関する。
【０００２】
【従来の技術】
従来、例えば充電式の電気掃除機は、電動送風機を収容した掃除機本体を備えている。この掃除機本体には、ホース体および延長管を介して吸込口体としての床ブラシが電動送風機の吸込側に連通接続されている。この床ブラシは、平面視略矩形状のケース体を備えている。このケース体の下面には、被掃除面としての床面に対向して吸込口が開口形成されている。また、ケース体の前面には、シールリップ状のバンパが取り付けられている。このバンパには、ケース体の下面との間に前面側開口が開口形成されている。そして、壁などの近傍、すなわち壁際などを掃除する際には、床ブラシの前側のバンパを壁に当接させてバンパの下側と床面との間に形成した風路にケース体の両側から空気を吸い込んで吸込風とし、床ブラシの前側である壁際の床面上の塵埃を吸込風とともに前面側開口から吸い込む（例えば、特許文献１参照。）。
【０００３】
【特許文献１】
特開２００１−１４９２８２号公報（第２−４頁、図５）
【０００４】
【発明が解決しようとする課題】
しかしながら、上述の電気掃除機では、床面からバンパまでの距離が比較的大きいことでバンパの下側と床面との間に形成した風路が比較的大きくなるとともに、前面側開口の開口面積が比較的大きいことにより、ケース体の前側での吸込風の風速を向上することが容易でない。
【０００５】
この結果、壁際の塵埃を確実に床ブラシの吸込口に吸い込むことが容易でないという問題点を有している。
【０００６】
本発明はこのような点に鑑みなされたもので、壁の近傍に位置した塵埃を確実に吸い込むことができる吸込口体およびこれを備えた電気掃除機を提供することを目的とする。
【０００７】
【課題を解決するための手段】
本発明は、吸込口に連通してケース体の前面側に開口した前面側開口と、この前面側開口の少なくとも一部を閉塞し下方に向けて突設された突部を備え、ケース体の前面側開口の上方に取り付けられたバンパとを具備したものである。そして、バンパに下方に向けて突設した突部にて前面側開口の少なくとも一部を閉塞することにより、バンパと被掃除面との距離および前面側開口の開口面積をそれぞれ低減させてケース体の前側の吸込風の風速を向上し、ケース体の前側を壁の近傍に近づけた際に、壁の近傍に位置した塵埃を前面側開口から確実に吸い込むことが可能になる。
【０００８】
また、本発明は、バンパの前面と略面一に設けられ、前面側開口の少なくとも一部を閉塞する突部を具備したものである。そして、バンパの前面と略面一に設けた突部にて前面側開口の少なくとも一部を閉塞することにより、バンパと被掃除面との距離および前面側開口の開口面積を低減させるとともに、ケース体の前側のバンパを壁に当接させた際にケース体と壁との間に隙間ができることを防止することで、ケース体の前側の吸込風の風速を向上し、壁の近傍に位置した塵埃を前面側開口から確実に吸い込むことが可能になる。
【０００９】
【発明の実施の形態】
以下、本発明の電気掃除機の一実施の形態の構成を図１ないし図５を参照して説明する。
【００１０】
図５において、１は掃除機本体で、この掃除機本体１はサイクロン方式であり床面を走行可能である。また、この掃除機本体１は、ケース体２と、このケース体２の上部に後部が連結して回動により上部を開放可能に覆って取り付けられる蓋体３とを備えた本体ケース４を有している。また、ケース体２内における後側には、電動送風機５が収容されている。
【００１１】
また、この電動送風機５の前側である本体ケース４内には、二次電池であるバッテリ６が取り外し可能に収容されている。このバッテリ６は、電動送風機５に電気的に接続されており、この電動送風機５に電力を供給している。このバッテリ６は、図示しない充電台を介して充電可能となっている。
【００１２】
さらに、ケース体２の両側には、一対の側板部７がこのケース体２の後方に向けて突出するように配設されている。これら一対の側板部７は、進行前後方向の略中間部の前側の対向距離が次第に狭くなるように内側に湾曲している。そして、これら一対の側板部７それぞれにおける湾曲する前側部分には、電動送風機５に連通して略前側側方に向けて開口する排気口８が複数穿設されている。
【００１３】
また、本体ケース４の蓋体３の前側には、前方に向けて本体吸込口９が開口されている。この本体吸込口９には、本体ケース４のケース体２内における前側に着脱可能に取り付けられた集塵カップ１１が連通されている。この集塵カップ１１は、電動送風機５による吸込風とともに吸い込んだ塵埃を内部で旋回させて、この塵埃を自重による遠心分離により落下させて集塵する。
【００１４】
一方、掃除機本体１の本体吸込口９には、可撓性を有するホース体１４の排気側である基端側が連通されて着脱可能に接続される。このホース体１４の吸気側である先端側には、略く字状に屈曲した操作手段としての手許操作部１５が設けられている。
【００１５】
この手許操作部１５における屈曲する部分の排気側である基端側に面する部分には、電動送風機５のオン、オフ、および弱、中、強の動作モードなどを設定する複数の設定ボタン１６が設けられている。
【００１６】
また、ホース体１４の手許操作部１５の吸気側である先端側には、伸縮可能な接続管としての延長管１７を介して吸込口体としてのノズル体である床ブラシ１８が着脱可能に連通されて接続される。この結果、床ブラシ１８は、延長管１７およびホース体１４を介して電動送風機５の吸込側と連通接続される。
【００１７】
またさらに、この床ブラシ１８は、図２ないし図５に示すように、前後方向である走行方向に対して横長で、後部略中央が後方に向けて突出する凸字状のケース体２１を備えている。このケース体２１は、上面を開口した下部ケース２２と、この下部ケース２２の上部に上面の開口を覆い同材質の下面を開口する上部ケース２３とが、下部ケース２２および上部ケース２３の前面を含む周面に沿って軟質部材の緩衝体としてのバンパ２４を挟持して結合固定されている。
【００１８】
ケース体２１の下部ケース２２における被掃除面としての床面Ｆに対向する下面には、図１に示すように、細長矩形状の吸込口２５が開口形成されている。この吸込口２５は、ケース体２１の走行方向の前側に偏位した位置に設けられており、このケース体２１の走行方向に交差する幅方向に長手方向を有する略矩形状に形成されている。
【００１９】
またさらに、このケース体２１の内部における吸込口２５の上方の上部ケース２３の下面には、略矩形状のリブ３１が下方に向けて突出して上部ケース２３と一体に形成されている。そして、このリブ３１の下方である吸込口２５には、回転清掃体としての略円柱状の回転ブラシ３２が、床ブラシ１８の走行方向に向けて回転可能に取り付けられている。この回転ブラシ３２は、周囲に複数、例えば４つのブラシ部３３が径方向に向けて突出して取り付けられている。これらブラシ部３３は、図４に示すように、回転ブラシ３２の周囲に螺旋状に取り付けられている。
【００２０】
そして、ケース体２１内には、図１に示すように、リブ３１および回転ブラシ３２により、吸込口２５と連通した吸気室３６および風路室３７が、ケース体２１内の走行方向の前側および後側にそれぞれ区画形成されている。
【００２１】
吸気室３６の前側、すなわちケース体２１の前面のバンパ２４の下方には、略矩形状の前面側開口４１が開口形成されている。換言すると、バンパ２４は、前面側開口４１の上方に設けられている。この前面側開口４１は、ケース体２１の前面から下面に亘って切り欠き形成され、吸込口２５と連通している。また、この前面側開口４１は、図２および図３に示すように、ケース体２１の幅方向の中心域に設けられ、ケース体２１の幅方向に沿って長手方向を有する矩形状に形成されている。すなわち、前面側開口４１は、ケース体２１の幅方向について線対称に形成されている。
【００２２】
そして、前面側開口４１には、ブラシ台４２が対向して回動可能かつ着脱可能に取り付けられている。このブラシ台４２は、図１に示すように、半円弧状の円弧面部４３と平面部４４とを有する略半円柱状に形成されている。また、このブラシ台４２は、ケース体２１の前後方向に向けて所定角度、例えば９０°回動可能となっている。さらに、このブラシ台４２の軸方向の寸法、すなわち軸寸法は、図３に示すように、前面側開口４１のケース体２１の幅方向の寸法、すなわち幅寸法よりも小さく形成されている。そして、このブラシ台４２の外周面は、回転ブラシ３２の前側のブラシ部３３の先端と接触している。
【００２３】
またさらに、ブラシ台４２の円弧面部４３には、清掃部材としての起毛布４５が全面に亘って取り付けられている。この起毛布４５の外周面には、複数の微細な起毛４６が全面に亘って設けられている。
【００２４】
さらに、ブラシ台４２の平面部４４の両側近傍には、図１ないし図３に示すように、接触体としての一対の突出部５１がそれぞれ突出して一体に設けられている。これら突出部５１は、ブラシ台４２の外径寸法と略等しい外径寸法を有する半円柱状に形成されている。このため、ブラシ台４２は、円弧面部４３と突出部５１との外周により、側面視で１つの円を形成するように設けられている。
【００２５】
また、これら突出部５１は、ブラシ台４２の軸寸法よりも小さい軸寸法を有し、ブラシ台４２の円弧面部４３と反対側に円弧面を向けて設けられている。さらに、各突出部５１は、ブラシ台４２の軸方向について互いに略対称な位置にそれぞれ形成されている。このため、ブラシ台４２には、両突出部５１と平面部４４とで周囲を囲まれるブラシ台開口５２が、両突出部５１の間に形成されている。
【００２６】
さらに、各突出部５１の外周面には、図１に示すように、それぞれ補助清掃部材としての補助起毛布５５が取り付けられている。この補助起毛布５５の外周面には、複数の微細な補助起毛５６が全面に亘って設けられている。
【００２７】
そして、各起毛４６および各補助起毛５６は、基端側から先端側すなわち毛先に向かって、ブラシ台４２の周方向に向けて徐々に湾曲してそれぞれ形成されている。また、各起毛４６および各補助起毛５６の毛先は、ブラシ台４２の下側で床ブラシ１８の前方に向くようにそれぞれ湾曲している。したがって、各起毛４６および各補助起毛５６の毛先は、図１に示すブラシ台４２の周方向に沿った左回り方向、すなわち反時計回り方向に向けてそれぞれ湾曲している。さらに、各起毛４６および各補助起毛５６は、ブラシ台４２の下側において床ブラシ１８の下部ケース２２の下方に毛先が突出し、ブラシ台４２の後側において回転ブラシ３２のブラシ部３３の前側に接触する長さ寸法にそれぞれ形成されている。
【００２８】
またさらに、ブラシ台４２の円弧面部４３および突出部５１の外周は、床ブラシ１８を床面Ｆに置いた際にケース体２１の下端部にて床面Ｆと接触するように設けられている。
【００２９】
また、バンパ２４の下端部には、シールリップ状のべろ部、すなわち舌片状の突部６１が下方に向けて突出して一体に設けられている。この突部６１は、前面側がバンパ２４の前面と略面一になるように設けられている。さらに、この突部６１の幅寸法は、ブラシ台４２の軸寸法および前面側開口４１の幅寸法よりも大きく形成されている。またさらに、この突部６１は、床ブラシ１８のケース体２１の幅方向の中心域に、このケース体２１の幅方向に沿って形成されている。したがって、突部６１は、前面側開口４１の図３に示す矢印方向である幅方向全体に位置し、この前面側開口４１の幅方向全体を閉塞する。
【００３０】
また、この突部６１は、先端部が基端部よりも若干幅狭に形成され、正面視略台形状になっている。そして、この突部６１は、図３に示すように、正面視で突出部５１の基端部よりも下側、かつこれら突出部５１の先端部よりも若干上側まで延設されている。この結果、突部６１は、前面側開口４１を上端部から下端部近傍まで閉塞している。
【００３１】
一方、風路室３７の後部には、連通口６３が開口形成されており、この連通口６３には、図２に示すように、連通管６４が摺動可能に連通接続されている。この連通管６４は、図５に示すように、延長管１７の吸込側に連通接続されている。この結果、連通管６４および連通口６３を介して吸込口２５が延長管１７と連通している。
【００３２】
次に、上記一実施の形態による掃除動作を説明する。
【００３３】
本体ケース４に集塵カップ１１を取り付け、本体吸込口９にホース体１４の基端を連通接続させるとともに、先端に床ブラシ１８が連通接続された延長管１７の基端をホース体１４の先端に連通接続させる。
【００３４】
この後、ホース体１４の手許操作部１５を把持しつつ、この手許操作部１５の所定の設定ボタン１６をオンして本体ケース４内の電動送風機５を駆動させ、作業者が手許操作部１５を把持して床ブラシ１８を前後方向に向けて操作して掃除する。
【００３５】
ここで、床ブラシ１８を後退させた際、すなわち床ブラシ１８の後退時には、ブラシ台４２の突出部５１が床面Ｆに接触することにより、図１の想像線に示すように、突出部５１の補助起毛布５５と床面Ｆとの間の摩擦力によりブラシ台開口５２および突出部５１が床ブラシ１８の前側に位置するとともに平面部４４が下部ケース２２の下面に対して略垂直になるようにブラシ台４２が回動する。言い換えると、ブラシ台４２は、床ブラシ１８のケース体２１の後退方向に対応して順方向に回動される。
【００３６】
この結果、起毛布４５の起毛４６が床面Ｆに密着し、この床面Ｆ上の塵埃を拭き取るとともに、床ブラシ１８のケース体２１の前方の外部空間と吸込口２５との連通が遮断されて吸込口２５の前側が密封され、この吸込口２５の真空度が向上する。同時に、回転ブラシ３２が回転して、床面Ｆに入り込んだ塵埃、および床面Ｆに付着した塵埃などを掻き出して集塵、すなわち掻き取り、この回転ブラシ３２で掻き出した塵埃を吸込口２５から吸い込む。
【００３７】
一方、床ブラシ１８を前進させた際、すなわち床ブラシ１８の前進時には、ブラシ台４２の突出部５１が床面Ｆに接触することにより、図１の実線に示すように、補助起毛布５５と床面Ｆとの間の摩擦力によりブラシ台４２が前側へと回動して、ブラシ台４２のブラシ台開口５２が床面Ｆに対向するとともに平面部４４が床面Ｆに対して略水平に対向する。言い換えると、ブラシ台４２は、床ブラシ１８のケース体２１の前進方向に対応して順方向に回動される。
【００３８】
そして、突出部５１の補助起毛布５５の補助起毛５６が床面Ｆに対向して接触するとともに、床ブラシ１８の後退時に床面Ｆに接触していた起毛布４５の起毛４６が回転ブラシ３２側に位置する。
【００３９】
この結果、突出部５１によりブラシ台開口５２を介して床面Ｆとの間に間隙Ｇが形成され、床ブラシ１８のケース体２１の前方の外部空間と吸込口２５とが前面側開口４１および間隙Ｇを介して連通し、床ブラシ１８の前側から吸込口２５に連通する通気路および塵埃が通過するスペースがブラシ台４２の下側に確保される。
【００４０】
同時に、起毛布４５の起毛４６が回転ブラシ３２のブラシ部３３の前側に接触し、回転ブラシ３２の回転により起毛布４５の起毛４６に付着した床面Ｆの塵埃を回転ブラシ３２のブラシ部３３にて掻き取るとともに、突出部５１の外周面の補助起毛布５５が床面Ｆに接触してこの床面Ｆの塵埃を拭き取る。
【００４１】
さらに、図４に示すように、床ブラシ１８を前進させてこの床ブラシ１８の前側を壁Ｗの近傍、すなわち壁際に近づけると、バンパ２４が壁Ｗに当接することで突部６１がこの壁Ｗに当接しつつこの壁Ｗに沿って下方向に向けて位置し、ケース体２１の幅方向の両側のバンパ２４の下方と床面Ｆとの間に形成された風路Ｐに、ケース体２１の幅方向の両側からケース体２１の幅方向の中心に向けて空気が吸い込まれて吸込風Ｂとなる。
【００４２】
そして、吸込風Ｂは、ケース体２１の前側の幅方向の中心域で突部６１により風路Ｐ内で風速を速められつつ壁際の床面Ｆ上に位置した塵埃とともにブラシ台開口５２から吸い込まれる。
【００４３】
この後、床ブラシ１８の先端から塵埃とともに吸い込まれた吸込風は、延長管１７およびホース体１４それぞれの内部を順次通過して本体吸込口９へと吸気された後、集塵カップ１１内へと吸い込まれる。
【００４４】
そして、集塵カップ１１内に吸い込まれた吸込風は、集塵カップ１１内で塵埃を遠心分離されて集塵され、集塵カップ１１から流出して電動送風機５を通過し排気風となって排気口８などから本体ケース４の外部へと排気される。
【００４５】
上述したように、上記一実施の形態では、吸込口２５に連通してケース体２１の前面側に開口した前面側開口４１の上端部から下端部近傍までをバンパ２４から突出した突部６１にて閉塞することにより、バンパ２４と床面Ｆとの距離および前面側開口４１の開口面積を低減させる構成とした。
【００４６】
このため、ケース体２１とバンパ２４との距離および前面側開口４１の開口面積が比較的大きい従来の構成と比較して、吸込風Ｂの風路Ｐが狭められることでケース体２１の前側の吸込風Ｂの風速を向上でき、壁際の床面Ｆ上に位置した塵埃を前面側開口４１から確実に吸い込むことができる。
【００４７】
特に、充電式の電気掃除機の場合には、電動送風機５による吸込風Ｂの風速が比較的低い。一方で、バッテリ６の使用可能時間を考慮すると、電動送風機５の駆動電圧を上げて吸込風Ｂの風速を向上させることは容易でない。しかしながら、上記一実施の形態によれば、電動送風機５による吸込風Ｂの風速が比較的低い充電式の電気掃除機においても、バッテリ６から電動送風機５に供給される駆動電圧を上げたりすることなく、同じ吸込風量のままで壁際の床面Ｆ上に位置した塵埃を容易かつ確実に吸い込むことができる。
【００４８】
また、突部６１をバンパ２４の前面と略面一に設けることにより、ケース体２１の前面のバンパ２４を壁Ｗに当接させた際に突部６１の前側面と壁Ｗとの間に隙間が形成されないため、吸込風Ｂをより確実に風路Ｐ内に導き、風路Ｐ内の吸込風Ｂの風速をより向上できる。
【００４９】
さらに、突部６１をケース体２１の幅方向の中心域、すなわちケース体２１のセンターに設け、前面側開口４１の幅方向全体を閉塞することで、風路Ｐ内のケース体２１のセンターでの吸込風Ｂの風速をより確実に向上でき、ケース体２１のセンターに位置した壁際の塵埃を、より確実に吸い込むことができる。
【００５０】
またさらに、上記一実施の形態では、ブラシ台開口５２および突出部５１を備えたブラシ台４２を前面側開口４１に対向させて回動可能に設け、このブラシ台４２を、ケース体２１の前進時に、このケース体２１の前進方向に対応して順方向に回動されて床面Ｆとの間に間隙Ｇを形成し、ケース体２１の前方の外部空間と吸込口２５とを前面側開口４１および間隙Ｇを介して連通させ、ケース体２１の後退時に、このケース体２１の後退方向に対応して順方向に回動されて床面Ｆに密着し、ケース体２１の前方の外部空間と吸込口２５との連通を遮断する構成にした。このため、床ブラシ１８を前進させて壁際に近づけた際には、前面側開口４１および間隙Ｇを介してケース体２１の前方の外部空間とブラシ台開口５２とが確実に連通して壁際の塵埃を吸い込み、床ブラシ１８を壁際から後退させた際にはケース体２１の前方の外部空間と吸込口２５との連通が遮断されることで吸込口２５の真空度を向上して吸込口２５から塵埃を効率よく吸い込むとともに起毛４６および補助起毛５６にて壁際の塵埃を掻き取るので、壁際の床面Ｆ上の塵埃を、より効率よく除去できる。
【００５１】
そして、ブラシ台４２は、回動可能かつ着脱可能に設けられているため、ケース体２１との間に比較的隙間が多く形成されているが、突部６１の幅寸法をブラシ台４２の軸寸法よりも大きくすることで、前面側開口４１とブラシ台４２の間の隙間からの吸込風Ｂのもれを防止して、ケース体２１の前側での吸込風Ｂの風速の低下を抑制できる。
【００５２】
なお、上記一実施の形態において、電気掃除機は、サイクロン式に限定されず、例えばポット型、アップライト型、あるいは集塵パックを用いたキャニスタ型などでもよい。
【００５３】
また、突部６１にて前面側開口４１の少なくとも一部を閉塞し、かつ床ブラシ１８の前側の吸込風Ｂの風速を速められれば、突部６１の形状および設ける位置などは、上記構成に限定されない。
【００５４】
さらに、突部６１は、バンパ２４の前面と面一にしない構成も可能である。
【００５５】
そして、床ブラシ１８は、ブラシ台４２を設けない構成も可能である。
【００５６】
【発明の効果】
本発明によれば、バンパに下方に向けて突設した突部にて前面側開口の少なくとも一部を閉塞することにより、バンパと被掃除面との距離および前面側開口の開口面積をそれぞれ低減させてケース体の前側の吸込風の風速を向上し、ケース体の前側を壁の近傍に近づけた際に、壁の近傍に位置した塵埃を前面側開口から確実に吸い込むことができる。
【００５７】
また、本発明によれば、バンパの前面と略面一に設けた突部にて前面側開口の少なくとも一部を閉塞することにより、バンパと被掃除面との距離および前面側開口の開口面積を低減させるとともに、ケース体の前側のバンパを壁に当接させた際にケース体と壁との間に隙間ができることを防止することで、ケース体の前側の吸込風の風速を向上し、壁の近傍に位置した塵埃を前面側開口から確実に吸い込むことができる。
【図面の簡単な説明】
【図１】本発明の電気掃除機の一実施の形態の吸込口体を示す側面断面図である。
【図２】同上吸込口体を示す斜視図である。
【図３】同上吸込口体を示す正面図である。
【図４】同上吸込口体の掃除状態を示す底面図である。
【図５】同上電気掃除機を示す斜視図である。
【符号の説明】
１    掃除機本体
５    電動送風機
１８    吸込口体としての床ブラシ
２１    ケース体
２４    バンパ
２５    吸込口
４１    前面側開口
４２    ブラシ台
５１    接触体としての突出部
５２    ブラシ台開口
６１    突部
Ｆ    被掃除面としての床面
Ｇ    間隙
【図１】
2004254970.tif 000003
【図２】
2004254970.tif 000004
【図３】
2004254970.tif 000005
【図４】
2004254970.tif 000006
【図５】
2004254970.tif 000007